【手続補正書】
【提出日】平成17年3月28日(2005.3.28)
【手続補正１】
【補正対象書類名】明細書
【補正対象項目名】特許請求の範囲
【補正方法】変更
【補正の内容】
【特許請求の範囲】
【請求項１】
基板が金属もしくは基板上に金属膜を設け、表面に硬質保護膜を設けた光情報記録媒体であって、該保護膜側から光を照射することにより情報を記録及び又は消去、もしくは再生することが可能な光情報記録媒体。
【請求項２】
基板上に形成した膜の最上面に潤滑層を設けたことを特徴とする請求項１に記載の光情報記録媒体。
【請求項３】
前記基板上に下部保護層、記録層、上部保護層の順に積層した層構成を含む多層構造を形成することを特徴とする請求項１又は２に記載の光情報記録媒体。
【請求項４】
前記上部保護層を硬質保護層とすることを特徴とする請求項３に記載の光情報記録媒体。
【請求項５】
硬質保護層の主成分が炭素からなることを特徴とする請求項２乃至４の何れか１に記載の光情報記録媒体。
【請求項６】
硬質保護層の主成分がダイヤモンドまたはダイヤモンドライクからなることを特徴とする請求項２乃至５の何れか１に記載の光情報記録媒体。
【請求項７】
記録層として相変化材料を用いたことを特徴とする請求項１乃至６の何れか１に記載の光情報記録媒体。
【請求項８】
記録層の材料として有機色素材料を用いたことを特徴とする請求項１乃至６の何れか１に記載の光情報記録媒体。
【請求項９】
記録層の材料として光磁気材料を用いたことを特徴とする請求項１乃至６の何れか１に記載の光情報記録媒体。
【請求項１０】
記録層よりも光の入射側にある層の膜厚が１００ｎｍ以下であることを特徴とする請求項１乃至９の何れか１に記載の光情報記録媒体。
【手続補正２】
【補正対象書類名】明細書
【補正対象項目名】０００９
【補正方法】変更
【補正の内容】
【０００９】
【課題を解決するための手段】
上記課題は本発明の（１）「基板が金属もしくは基板上に金属膜を設け、表面に硬質保護膜を設けた光情報記録媒体であって、該保護膜側から光を照射することにより情報を記録及び又は消去、もしくは再生することが可能な光情報記録媒体。」、（２）「基板上に形成した膜の最上面に潤滑層を設けたことを特徴とする前記第（１）項記載の光情報記録媒体。」、（３）「前記基板上に下部保護層、記録層、上部保護層の順に積層した層構成を含む多層構造を形成することを特徴とする前記第（１）項又は第（２）項に記載の光情報記録媒体。」、（４）「前記上部保護層を硬質保護層とすることを特徴とする前記第（３）項に記載の光情報記録媒体。」、（５）「硬質保護層の主成分が炭素からなることを特徴とする前記第（２）項乃至前記第（４）項の何れか１に記載の光情報記録媒体。」、
（６）「硬質保護層の主成分がダイヤモンドまたはダイヤモンドライクからなることを特徴とする前記第（２）項乃至前記第（５）項の何れか１に記載の光情報記録媒体。」、（７）「記録層として相変化材料を用いたことを特徴とする前記第（１）項乃至前記第（６）項の何れか１に記載の光情報記録媒体。」、（８）「記録層の材料として有機色素材料を用いたことを特徴とする前記第（１）項乃至前記第（６）項の何れか１に記載の光情報記録媒体。」、（９）「記録層の材料として光磁気材料を用いたことを特徴とする前記第（１）項乃至前記第（６）項の何れか１に記載の光情報記録媒体。」、（１０）「記録層よりも光の入射側にある層の膜厚が１００ｎｍ以下であることを特徴とする前記第（１）項乃至前記第（９）項の何れか１に記載の光情報記録媒体。
【手続補正３】
【補正対象書類名】明細書
【補正対象項目名】００１４
【補正方法】変更
【補正の内容】
【００１４】
基板として用いる金属材料がアルミニウムまたはアルミニウム合金からなる光情報記録媒体に関する。アルミニウムまたはアルミニウム合金は安価で加工も容易であり表面粗さを小さくすることが可能であるため好ましい。ここで用いることができるアルミニウム合金としては特に限定は無いが、アルミニウム−マグネシウム合金、アルミニウム−チタン合金、アルミニウム−クロム合金などが特に好ましい。
【手続補正４】
【補正対象書類名】明細書
【補正対象項目名】００１５
【補正方法】変更
【補正の内容】
【００１５】
基板の表面にＮｉ合金の皮膜を形成した光情報記録媒体に関する。Ｎｉ合金はレーザなどで高温にすると容易に形状を作ることが可能である。ＮｉＰ、ＮｉＮｂのような合金は腐食しにくく硬いため、基板の表面にこれらの合金を形成することは好ましい。特にアルミニウム合金基板とＮｉ合金の組み合わせは好ましい。Ｎｉ合金は無電解めっきなどのめっき法が好ましいが、蒸着法、スパッタ法などが可能である。
【手続補正５】
【補正対象書類名】明細書
【補正対象項目名】００１６
【補正方法】変更
【補正の内容】
【００１６】
基板上に形成した膜の最上面に硬質保護層を設けた光情報記録媒体に関する。光情報記録媒体の層構成は基板上に保護層、記録層、放熱層などを積層した多層構造とすることが可能であるが、それらの多層構造の最表面に硬質保護層を設ける。硬質保護層は耐摩耗性、耐衝撃性を向上させるためのものであり硬度が高く化学的にも熱的にも安定であることが必要である。硬質保護層としてはダイヤモンド、ダイヤモンドライクカーボンのような炭素膜、ＳｉＣ、ＳｉＮ、ＡｌＮなどが例示できる。これらはスパッタ法、蒸着法、ＣＶＤ法などで容易に形成することができる。
【手続補正６】
【補正対象書類名】明細書
【補正対象項目名】００１７
【補正方法】変更
【補正の内容】
【００１７】
請求項２に記載の発明は、基板上に形成した膜の最上面に潤滑層を設けた光情報記録媒体に関する。本発明の光情報記録媒体は基板上に記録層、保護層、反射層などを積層した多層構成からなっているが、その最表面に潤滑層を設けることによりディスクとヘッドとの潤滑が改善され接触しても媒体が損傷を受け難くなる。また、接触させて使用する構成においても動作が滑らかになる。本発明は上述した様々な層構成に適用可能である。
【手続補正７】
【補正対象書類名】明細書
【補正対象項目名】００１９
【補正方法】変更
【補正の内容】
【００１９】
請求項３に記載の発明は、基板上に下部保護層、記録層、上部保護層の順に積層した層構成を含む多層構造を形成した光情報記録媒体に関する。記録層を保護層で挟むことにより記録時に記録層にかかる熱をうまく制御し最適な記録を行なうことができるようになる。保護層はその材質、膜厚などにより熱を放熱する役割と熱を蓄える役割を同時に満たすことができるようになる。また、記録時に記録層が溶融状態になる場合、保護層ではさみそれを保護することにより媒体の繰り返し特性を向上させる効果もある。
【手続補正８】
【補正対象書類名】明細書
【補正対象項目名】００２０
【補正方法】変更
【補正の内容】
【００２０】
請求項４に記載の発明は、請求項３に記載した上部保護層を硬質保護層とする光情報記録媒体に関する。上部保護層を硬質保護層にすることにより媒体とヘッドとの接触による衝撃などから媒体を保護するといういわゆる硬質保護層としての効果と請求項３の発明のような記録層にかかる熱の放熱、蓄熱を制御し最適な記録を行なうという効果とを一つの層で兼用することができる。硬質保護層は耐摩耗性、耐衝撃性を向上させるためのものであり硬度が高く化学的にも熱的にも安定であることが必要である。硬質保護層としてはダイヤモンド、ダイヤモンドライクカーボンのような炭素膜、ＳｉＣ、ＳｉＮ、ＡｌＮ、Ａｌ2Ｏ3など炭化物、酸化物、窒化物などが例示できる。これらはスパッタ法、蒸着法、ＣＶＤ法などで容易に形成することができる。
【手続補正９】
【補正対象書類名】明細書
【補正対象項目名】００２１
【補正方法】変更
【補正の内容】
【００２１】
請求項５及び６に記載の発明は、硬質保護層の主成分が炭素からなる光情報記録媒体に関する。主成分が炭素からなる材料としては、ダイヤモンドまたはダイヤモンドライクカーボン等が挙げられるが、これらは作製条件などにより様々な熱伝導率をもつ膜を作ることが可能であり記録層に対し最適な熱伝導率をもつ膜を作ることができる。また、光学的な特性も制御することが可能である。また、作製条件で膜の硬度も変化するためかなり硬い膜を作ることが可能である。特にダイヤモンドまたはダイヤモンドライクカーボンと呼ばれる炭素膜は硬度が高いためディスク表面に施すことにより媒体の耐摩耗性、耐衝撃性が向上できる。これらはＣＶＤ法、スパッタリング法、などの気相成長法で作製できる。特にスパッタリング法は装置、作成法が容易であるため好ましく、プラズマＣＶＤ法はかなり薄い膜にでも特性の劣化が無い膜が実現でき、膜形成速度が速く、生産性が高いため好適である。
【手続補正１０】
【補正対象書類名】明細書
【補正対象項目名】００２２
【補正方法】変更
【補正の内容】
【００２２】
請求項７に記載の発明は、記録層として相変化材料を用いた光情報記録媒体に関するものである。相変化材料としてはＴｅＯ2などのようなＴｅ系の材料からＳｂ系の材料、ＧｅＳｂＴｅ系、ＡｇＩｎＳｂＴｅ系のようなカルコゲン系の材料などが例示でき、これらはスパッタ法、蒸着法、ＣＶＤ法などの真空製膜法、電着法、ゾルゲル法などの湿式法などにより形成される。
【手続補正１１】
【補正対象書類名】明細書
【補正対象項目名】００２４
【補正方法】変更
【補正の内容】
【００２４】
請求項８に記載の発明は、記録層の材料として有機色素材料を用いた光情報記録媒体に関する。材料の例としてはシアニン系、フタロシアニン系、アゾ系、などの有機色素を用いることができる。これらはスピンコート法、ディップ法等の塗布法により形成できる。
【手続補正１２】
【補正対象書類名】明細書
【補正対象項目名】００２５
【補正方法】変更
【補正の内容】
【００２５】
請求項９に記載の発明は、記録層の材料として光磁気材料を用いた光情報記録媒体に関する。光磁気材料としては、任意の希土類−遷移金属系の非晶質垂直磁化膜、バリウムフェライト系材料、ＰｔＣｏ系材料などが例示できるが、カー回転角が大きいことなどの理由から、Ｔｂ、Ｇｄ、Ｄｙ、Ｎｄのうち少なくとも１種類の元素と、Ｆｅ、Ｃｏ、Ｎｉのうち少なくとも１種類の元素との合金が好ましい。また、これらに添加元素を加えた合金系も用いることができる。また、Ｐｔ、Ｐｄ、Ａｕ、Ａｇ、Ｃｕの元素のなかから少なくとも１種類の元素と、Ｆｅ、Ｃｏ、Ｎｉから選択した少なくとも１種類の元素との合金、またはこれを主成分とする合金は短波長に対応可能などの理由から特に好ましい。
【手続補正１３】
【補正対象書類名】明細書
【補正対象項目名】００２６
【補正方法】変更
【補正の内容】
【００２６】
請求項１０に記載の発明は、記録層よりも光の入射側にある層の膜厚が１００ｎｍ以下である光情報記録媒体に関する。１００ｎｍ以下にすることにより光情報記録媒体の内部に入射した光が効率よく記録層に入射し、光のスポット径が広がらずに記録層に照射されるためより良好に記録でき高密度記録可能な光情報記録媒体が実現可能となる。
【手続補正１４】
【補正対象書類名】明細書
【補正対象項目名】００３９
【補正方法】変更
【補正の内容】
【００３９】
【発明の効果】
以上、詳細且つ具体的な説明から明らかなように、請求項１から６に記載の本発明により耐摩耗性、耐衝撃性などに優れた高密度光情報記録媒体を実現でき、ヘッドと媒体の距離を小さくすることが可能となり、高密度光情報記録媒体を提供できる。
また、請求項７記載の本発明のように記録層に相変化材料を用いることで書換え特性に優れた高密度光情報記録媒体を提供可能となる。
さらにまた、請求項８記載の本発明のように記録層を有機色素材料とすることにより低コストで優れた特性を持つ高密度光情報記録媒体を提供できる。
さらにまた、請求項９記載の本発明により記録層に光磁気材料を用いることで書換え特性に優れた高密度光情報記録媒体を提供可能となる。
さらにまた、請求項１０記載の本発明により膜厚を限定することにより優れた記録再生特性を発揮する高密度光情報記録媒体を提供可能となる。